(57)【特許請求の範囲】
【請求項１】
レンズ装着者のための遠視及び近視の眼のためのレンズの対であって、遠視用のレンズは凸面と凹面とを備え、凸面は、凸表面全体が、ゾーン分けされることなく、遠視に適したカーブを形成し、凹面は少なくも２個の同心の環状部分の光学ゾーンを有し、少なくも２個の環状部分の各々の倍率は遠視用倍率の倍率と実質的に等しく、
更に、近視用のレンズは凸面と凹面とを備え、凸面は、凸表面全体が、ゾーン分けされることなく、近視に適したカーブを形成し、凹面は少なくも２個の同心の環状部分の光学ゾーンを有し、少なくも２個の環状部分の各々の倍率が近視用倍率の倍率と実質的に等しく、
遠視用及び近視用のレンズの凸面が本質的に光学ゾーンよりなり、更にレンズの凹面が遠視用倍率、近視用倍率、又はこれらの組合せの少なくも２個の環状ゾーンを備え、
遠視用のレンズの凹面が遠視用倍率の少なくも２個のゾーンと近視用倍率の１個以上の環状ゾーンとを備え、遠視用レンズの凹面は、全体として遠視用倍率の面積比率が高くなっており、
近視用のレンズの凹面が近視用倍率の少なくも２個のゾーンと遠視用倍率の１個以上の環状ゾーンとを備え、近視用レンズの凹面は、全体として近視用倍率の面積比率が高くなっており、
倍率は、異なるゾーンについては、近視領域の倍率、或いは遠視領域の倍率であるレンズの対。
【請求項２】
遠視用のレンズ、近視用のレンズ、又は両レンズの凸面及び凹面のいずれか又は両者が、遠視用倍率、近視用倍率、又はこれらの組合せを有する追加の環状ゾーンを備える請求項１記載のレンズの対。
【請求項３】
コンタクトレンズ装着者のための遠視用及び近視用のコンタクトレンズの対であって、遠視用のコンタクトレンズは凸面と凹面とを備え、凸面は、凸表面全体が、ゾーン分けされることなく、遠視に適したカーブを形成し、凹面は少なくも２個の同心の環状部分の光学ゾーンを有し、少なくも２個の環状部分の倍率は遠視用倍率の倍率と実質的に等しく、
更に、近視用のコンタクトレンズは凸面と凹面とを備え、凸面は近視用倍率の実質的に全部を含む光学ゾーンを有し、凸面は、凸表面全体が、ゾーン分けされることなく、近視に適したカーブを形成し、凹面は少なくも２個の同心の環状部分の光学ゾーンを有し、少なくも２個の環状部分の各々の倍率が近視用倍率の倍率と実質的に等しく、
遠視用及び近視用のコンタクトレンズの凸面が本質的に光学ゾーンよりなり、更に、凹面が遠視用倍率、近視用倍率、又はこれらの組合せの少なくも２個の環状ゾーンを備え、
遠視用のコンタクトレンズの凹面が遠視用倍率の少なくも２個のゾーンと近視用倍率の１個以上の環状ゾーンとを備え、遠視用のコンタクトレンズの凹面は、全体として遠視用倍率の面積比率が高くなっており、
近視用のコンタクトレンズの凹面が近視用倍率の少なくも２個のゾーンと遠視用倍率の１個以上の環状ゾーンとを備え、近視用のコンタクトレンズの凹面は、全体として近視用倍率の面積比率が高くなっており、
倍率は、異なるゾーンについては、近視領域の倍率、或いは遠視領域の倍率であるコンタクトレンズの対。
【請求項４】
遠視用のコンタクトレンズ、近視用のコンタクトレンズ、又は両コンタクトレンズの凸面及び凹面のいずれか又は両者が、遠視用倍率、近視用倍率、又はこれらの組合せを有する追加の環状ゾーンを備える請求項３記載のコンタクトレンズの対。
【発明の詳細な説明】
【０００１】
【発明の分野】
本発明は眼のためのレンズに関する。特に、本発明は、１以上の光学倍率、又は焦点長を使用する、老視の矯正に有効なレンズを提供する。
【０００２】
【発明の背景】
人が年を取ると、眼は、観察者に比較的近い目的物に焦点を合わせるために調節し又は生来のレンズを曲げる能力が小さくなる。この状態は老視として知られる。同様に、生来のレンズが取り去られた人及び代わりの眼球内レンズを持つ人は、調節能力が全くない。
【０００３】
眼の調節不全を矯正するために使用される方法の中に、遠距離視力用の１個のコンタクトレンズと近距離視力用の１個のレンズとを付ける単ビジョンシステム（ｍｏｎｏ−ｖｉｓｉｏｎ  ｓｙｓｔｅｍ）がある。単ビジョンシステムは、装着者に、遠くのものと近くのものとの両者の識別を許すが、奥行き知覚をかなり損なう欠点がある。従って、装着者の調節不能に対する矯正を提供しかつ公知レンズの欠点に幾つかを克服するレンズに対する要求がある。
【０００４】
【本発明及び好ましい実施例の詳細な説明】
本発明は、調節能力の欠乏を矯正する方法、かかる矯正のためのレンズ、及び本発明のレンズの製造方法を提供する。本発明のレンズは、優れた遠距離視力と近距離視力とを与えるレンズを提供するために、装着者の一方の眼が遠距離視力で優位（効き目）である事実を利用する。より特別には、本発明は、優位な眼に中央の遠用視力ゾーンを提供し、そして非優位の眼に中央の近用視力ゾーンを提供する。優位な眼のレンズは、更に近用の光学倍率を有し、非優位な眼のレンズは遠用倍率を持つ。両方レンズが遠用倍率と近用倍率とを持つため、レンズの使用による奥行き知覚は実質的に失われない。
【０００５】
一実施例においては、本発明は、レンズ装着者のための第１及び第２の眼のためのレンズを本質的に含み、かつこれらから構成され、ａ）第１のレンズは凸面と凹面とを本質的に含みかつこれらから構成され、凸面は遠用光学倍率の実質的に全部を含みかつこれより構成された光学ゾーンを本質的に含みかつこれより構成され、凹面は少なくも２個の同心の環状部分の光学ゾーンを本質的に含みかつこれより構成さえ、少なくも２個の環状部分の各の倍率は遠用光学倍率のそれと実質的に等しく、更にｂ）第２のレンズは凸面と凹面とを本質的に含みかつこれらより構成され、凸面は近用光学倍率の実質的に全部を本質的に含みかつこれより構成される光学ゾーンを本質的に含みかつこれより構成され、凹面は少なくも２個の同心の環状部分の光学ゾーンを本質的に含みかつこれらより構成され、少なくも２個の環状部分の各の倍率は近用光学倍率のそれと実質的に等しい。
【０００６】
「眼用レンズ」は、コンタクトレンズ、眼内レンズ、又は同等品、或いはこれらの組合せを意味する。本発明のレンズは、コンタクトレンズであることが好ましい。「遠用光学倍率」は、装着者の遠距離視力を希望程度に鋭く矯正するするに要する屈折力の大きさを意味する。「近用光学倍率」は、装着者の近距離視力を希望程度に鋭く矯正するに要する屈折力の大きさを意味する。
【０００７】
本発明の方法は、装着者に１対の眼用レンズを提供し、その１個のレンズは優位の眼に装着され、１個は非優位の眼に装着される。「優位の眼」は、遠距離視力の優れた眼を意味する。優位な眼に装着されたレンズは、希望の遠用光学倍率を有する中央光学ゾーンを有する凸面を持つ。凹面は、その光学ゾーンに少なくも２個の同心の環状ゾーンを持つ。少なくも２個の環状ゾーンの各の倍率は、遠用光学倍率と実質的に等しい。凹面及び凸面のいずれか又は両者は、遠用光学倍率、近用光学倍率、又はこれらの組合せを有する追加の環状ゾーンを持つことができる。凸面は、中央光学ゾーンのみを有し、環状ゾーンは持たないことが好ましく、この実施例の凹面は、遠用及び近用の光学倍率のいずれか又は両者の少なくも２個の環状ゾーンを持つ。より好ましくは、凸面は遠用光学倍率を有する中央光学ゾーンのみを有し、凹面は少なくも２個の遠用光学倍率のゾーンと１個以上の近用光学倍率の環状ゾーンとを持つ。
【０００８】
遠用及び近用の両方の光学倍率の環状ゾーンを使用するこれら実施例における本発明のレンズは、近用の環状ゾーンと好ましくは交互にされた遠用の環状ゾーンを使う。中間の光学倍率、又は近用の光学倍率と遠用のものと光学倍率との間の光学倍率は、本発明のレンズ対のいずれのレンズにも設けられない。
【０００９】
優位な眼のレンズに近用及び遠用の環状ゾーンの両者が使用されないこれらの場合は、レンズの遠用光学倍率と近用光学倍率とに専用のレンズ光学ゾーンの面積比は、遠用光学倍率により多くの面積を割り当てるようにしなければならない。非優位の眼のレンズについては、近用光学倍率により多くのレンズ面積が割り当てられるであろう。優位の眼及び非優位の眼の両者に対する好ましい面積（％）が米国特許５８３５１９２号、５４８５２２８号、及び５４４８３１２号に明らかにされ、これらの特許は参考文献としてここに組み入れられる。
【００１０】
本発明において、非優位の眼に装着されたレンズは、希望の近用光学倍率の中央光学ゾーンを有する凸面を持つ。凹面は、その光学ゾーンに少なくも２個の同心の環状ゾーンを持つ。少なくも２個の環状ゾーンの各の倍率は、近用光学倍率のそれと実質的に等しい。凸面及び凹面のいずれか又は両者は、遠用光学倍率、近用光学倍率、又はその組合せを有する追加の環状ゾーンを持つことができる。好ましくは、凸面は中央光学ゾーンのみを有し環状ゾーンがなく、この実施例における凹面は、遠用光学倍率及び近用光学倍率のいずれか又は両者の少なくも２個の環状ゾーンを持つ。より好ましくは、凸面は、近用光学倍率を有する中央光学ゾーンだけを有し、凹面は近用光学倍率の少なくも２個のゾーンと遠用光学倍率の１個以上の環状ゾーンを持つ。
【００１１】
本発明のレンズにおいては、遠用光学倍率と近用光学倍率とは、球面倍率である。更に、遠用光学倍率ゾーンと近用光学倍率ゾーンとは適宜の希望しかつ実行可能な寸法のものとすることができる。
【００１２】
図１ａを参照すれば、優位の眼についてのレンズ１０が示される。図示のように、遠用光学倍率の中央環状ゾーン１１、及びその後の一つおきになっている遠用及び近用の光学倍率の環状ゾーン１２−１５が見える。図１ｂは、中央の近用光学倍率の環状ゾーン２１及びその後の一つおきになっている遠用と近用の光学倍率のゾーン２２−２５を有する非優位の眼のためのレンズ２０を示す。
【００１３】
本発明に有用なコンタクトレンズは、ハード又はソフトのいずれのレンズとすることもできる。ソフトレンズを作るための適宜適切な材料より作られたソフトコンタクトレンズが使われることが好ましい。本発明のレンズは、遠用及び近用の光学倍率に加えて、表面に、例えば円柱倍率のような種々の矯正用光学特性のものを組み入れることができる。
【００１４】
本発明のレンズは適宜の通常の方法で形成することができる。例えば、これに形成される環状ゾーンは、一つおきの半径を使ってダイヤモンド旋削で作ることができる。ゾーンは、本発明のレンズを形成するために使用される型の中にダイヤモンドで旋削することができる。続いて、適切な液状樹脂を型の間におき、続いて圧縮し樹脂を固化させて、本発明のレンズを形成する。或いは、レンズボタン内にゾーンをダイヤモンドで削り出すことができる。
【図面の簡単な説明】
【図１ａ及び１ｂ】  本発明のレンズ対の平面図を示す。
【図１ａ】
0004974413.tif 000002
【図１ｂ】
0004974413.tif 000003